(57)【要約】【課題】製造が簡単で、低廉なウェアを提供することを目的として、無縫製編物およびこれを用いたウェアの製造方法を提供すること。【解決手段】ダブルジャガード筬付ダブルラッシェル機により二層三層構造に連続編成する無縫製編物であって、複数の機能部を具備するウェアの各部を一体編成することにより、所望のウェア形体部を有する編物地を形成していると共に、上記ウェア形体部以外の部分を捨て部として形成して、上記ウェア形体部と捨て部とを全体として一体編成していること。【選択図】            図１
2004353146.tif 000002
【特許請求の範囲】
【請求項１】
ダブルジャガード筬付ダブルラッシェル機により二層三層構造に連続編成する無縫製編物であって、複数の機能部を具備するウェアの各部を一体編成することにより、所望のウェア形体部を有する編物地を形成していると共に、上記ウェア形体部以外の部分を捨て部として形成して、上記ウェア形体部と捨て部とを全体として一体編成していることを特徴とする無縫製編物。
【請求項２】
上記ウェア形体部は、ブラジャー、若しくはストッキング用吊りひも付きガーターベルト等の複数の機能部を有するウェアを形成するものであって、ブラジャーの肩ひも、若しくはガーターベルトの吊りひも等の特有の機能部を含む構成にて全体として一体編成可能に形成している請求項１記載の無縫製編物。
【請求項３】
ウェア形体部の一部は、フロント側生地とバック側生地とつなぎ合わせて表裏一体となった厚地部として三重構造に形成してあり、一部はフロント側生地とバック側生地とが分離した状態に形成していると共に、フロント側生地とバック側生地とで異なる柄を有する形態にて一体編成している請求項１または２記載の無縫製編物。
【請求項４】
上記請求項１ないし３の何れかに記載のウェア形体部を有する無縫製編物を一定単位長さ毎に切離すると共に捨て部を切離除去してウェアを形成することを特徴とする無縫製編物を用いたウェアの製造方法。
【発明の詳細な説明】
【０００１】
【発明の属する技術分野】
本発明は、各機能部のすべてを一体編成することによってウェアを製造する無縫製編物と、それを用いたウェアの製造方法に関する。
【０００２】
【従来の技術および発明が解決しようとする課題】
従来より、複数の機能部を有する高機能ウェアの例としては、ブラジャーや、ストッキング用ひも付きガーターベルト等のようなインナーウェアがあり、例えば、ブラジャーは次のように製造されていた。
すなわち、上記ブラジャーは、大別してカップ部、ベルト部、肩ひも部にて機能部が構成されていて、カップ部は、表面側レース生地と、裏面側メッシュ生地と、これらの中間に配する不織布生地とを用い、各生地を所定の形状に裁断すると共に、不織布を挟んでサンドイッチ状に三層に縫製されて形成されている。そして、ベルト部と肩ひも部もカップ部と同様に形を作りながら裁断、縫製された後、上記各部が集められ縫製されてブラジャーが製造されている。（特許文献１参照）
しかしながら、このようなブラジャーは、上記のような各機能部が個別に形成された後に、各部が一体となるように縫製されているため、製造工程が複雑であると共に、コストも高価になるという欠点があり、手軽に着用できるインナーウェアとしては不適であった。
【０００３】
そこで、この発明は、製造が簡単で、低廉なウェアを提供することを目的として、無縫製編物およびこれを用いたウェアの製造方法を完成したものである。
【０００４】
【特許文献１】
特開平５−２４７７０２号公報
【０００５】
【課題を解決するための手段および発明の効果】
上記した目的を達成する本発明による無縫製編物は、ダブルジャガード筬付ダブルラッシェル機により二層三層構造に連続編成する無縫製編物であって、複数の機能部を具備するウェアの各部を一体編成することにより、所望のウェア形体部を有する編物地を形成していると共に、上記ウェア形体部以外の部分を捨て部として形成して、上記ウェア形体部と捨て部とを全体として一体編成していることを特徴としている。
【０００６】
上記無縫製編物によれば、複数の機能部を具備するウェアの各部を編成により一体形成しているので、複数の機能部を一体に製造することができる。そして、ウェア形体部と捨て部とが一体編成された無縫製編物から、不要となる捨て部のみを除去するだけで複数の機能部を有するウェアを製造することができ、従来のように個別の機能部を形成してそれらを合体させる工程を必要とすること無く、複数の機能部を有するウェアを簡単に製造することができる。
【０００７】
また、一体編成にてウェア形体部を編成するので、ウェア形体部の縁部を種々の形態編みで形成することができ、スカラヘム形状やアール形状、花柄形状等デザイン面に優れた形態に編成することができる。
したがって、本発明の無縫製編物によれば、複雑な製造工程を経ることもなく、デザイン面においても優れたウェアを、低廉なコストで提供することができる。
【０００８】
また、請求項２記載の無縫製編物は、ウェア形体部は、ブラジャー、ストッキング用吊りひも付きガーターベルト等の複数の機能部を有するウェアを形成するものであって、ブラジャーの肩ひも、若しくはガーターベルト用吊りひも等の特有の機能部を含んで全体として一体編成可能な構成としたことを特徴としている。
この構成によれば、複数の機能部を有するブラジャー、若しくはストッキング用吊りひも付きガーターベルトのような高機能なウェアであって、ブラジャーの肩ひも、若しくはガーターベルトの吊りひも等の特有の機能部を含む構成にて一体編成することができるので、従来では、別工程にて製造されていた機能部を一体編成することができ、特有の機能を有するウェアの製造を簡単に行うことができる。
【０００９】
さらに、請求項３記載の無縫製編物は、ウェア形体部の一部は、フロント側生地とバック側生地とつなぎ合わせて表裏一体となった厚地部として形成してあり、一部はフロント側生地とバック側生地とが分離した状態に形成していると共に、フロント側生地とバック側生地とで異なる柄を有する形態に一体編成していることを特徴としている。
この構成の無縫製編物は、ウェア形体部の一部をフロント側生地とバック側生地とつなぎ合わせて表裏一体となった厚地部としているので、例えば、ブラジャーの肩ひもや、ガーターベルトの吊りひも等のように強度を必要とする特有の機能部を一体に形成できる。また、ブラジャーのカップ部等のように、フロント側はデザインを重視し、バック側は肌触り等を重視するような表裏で別々の機能を必要とする機能部では、フロント側生地とバック側生地とで異なる柄にて一体編成することができ、従来のように、表裏面で異なる生地を準備して接着したり縫い合わせたりする必要が無く、前準備等を省略することができて製造が容易になる。したがって、この無縫製編物は、表裏連結編立により形体安定性に優れたウェアを提供できるという顕著な効果も有するものである。
【００１０】
また、この発明の無縫製編物を用いたウェアの製造方法としては、上記のように製造した無縫製編物のうち、ウェア形体部が形成された一定単位長さ毎に切離すると共に捨て部を切離除去してウェアを形成することを特徴としている。
この製造方法によると、ウェア形体部毎に切り離して、捨て部を切離除去することにより、ウェアを得ることができ、特有の機能部を有するウェアを簡単に製造することができる。
【００１１】
【発明の実施の形態】
次いで、本発明による実施の態様について図を参照しながら以下に説明する。
図１は本発明に係る無縫製編物の概略正面図、図２は、図１の裏面図、図３は要部の概略組織図である。
無縫製編物１は、この実施の態様では、複数の機能部を有するウェアの代表例としてブラジャーを形成するウェア形体部１０と、ウェア形体部１０を除く部分を捨て部２０として形成しており、これらを編成により一体に形成している。使用糸は、合成繊維糸を用いるが、風合いや使用部位によって種々のものを用いることができ、例えば、ポリウレタンカバード糸等はフィット性に優れているので好適である。
【００１２】
ウェア形体部１０は、ブラジャーの複数の機能部としてカップ部１１、サイドベルト、バックベルトからなるベルト部１２、および肩ひも部１３を具備するもので、これらの機能部を一体に編成している。
上記カップ部１１は、フロント側生地とバック側生地とを分離した二重構造にて編成して、フロント側生地はジャガード筬による柄出しを行い、バック側生地は吸水発汗の良い糸を用いてデンビ編等の編み立てを行うことにより、肌触りのよい生地として形成し、さらにカップ部１１の周囲は綴じ編にてカップ部１１内を閉じていると共に、カップ部１１の形状安定化を図っており、これらの綴じ編部分は三重構造となっている。これらの三重構造部分は、図１の中央に現したウェア形体部１０に示すように、縁部をスカラ形体（柄波状）等のデザインを編成時に施すことができ、種々のデザインを採用することができる。
【００１３】
上記フロント側生地とバック側生地とを分離した二重構造は、図３の組織図中、Ｉの範囲のコース間に現れており、フロントＦ（Ｆ１，Ｆ２）側、バックＢ（Ｂ１，Ｂ２）側は、それぞれ独立して編成している。また、綴じ編部分は、コース方向のＩＩで示す範囲において、ウェールＷ１，Ｗ２では、フロントＦ（Ｆ１，Ｆ２）側、バックＢ（Ｂ１，Ｂ２）側の基布を形成しており、ウェールＷ３，Ｗ４では、フロントＦ（Ｆ１，Ｆ２）側、バックＢ（Ｂ１，Ｂ２）側双方のループ糸を互いに連結編成して三重構造として厚地部を形成した状態を示しており、綴じ編部分の厚みを自由に変更することができる態様を示したものであり、さらに身体触れる部分や、強度を必要とする部分等の目的によって、振り幅を大きく振ってさらに肉厚に編成する等、編成方法を適宜選択できるものである。
【００１４】
図１および図２に示すカップ１１は、表面側を二重編によって無地部にしたり、柄部にしたり適宜形成することができ、裏面側では、肌触りを考慮して、無地部にしたり、メッシュ部にしたり形成することができる。
上記ベルト部１２は、２つのカップ部１１を連結するものであり、カップ部１１を身体へ装着時にフィットさせるため、伸縮性の良い糸を用いて引っ張り強度を強くしてあり、フロント側生地とバック側生地とが一体となるよう振り糸にて表裏一体に編成して、上記のカップ部１１と同様にこれらの部分を三重構造としているものである。
【００１５】
肩ひも１３は、細幅のテープ状に形成しているもので、この部分においても、フロント側生地とバック側生地とを一体化して三重構造としていると共に、形体編のため特にすべり止め効果を考慮した編み方としている。例えば、身体側となるバック側生地では、糸の振りを大きくして厚手に編成すると共に、フロント側生地とバック側生地とを表裏一体に編成して身体に対する密着度を向上させることにより、すべり止め効果を有するよう構成しても良い。
【００１６】
そして、上記各機能部を有するウェア形体部１０は、カップ部１１、ベルト部１２、肩ひも部１３の各部を一体に編成可能に配置していると共に、これらを一体に編み立て可能とするための捨て部２０を設けて、上記ダブルラッシェル機によって無縫製編物１を形成しているものである。
この実施の態様では、図１に示すように、カップ部１１とベルト部１２とを緯方向に配置し、肩ひも部１３を経方向に配置した例を示しており、これらを編み立て方向に捨て部２０が少なくなるように交互に向かい合わせて配置したものであるが、ウェア形体部１０を同じ向きに配置することもでき、この場合には捨て部２０は広くなるが、ウェア形体部１０の分離は簡単になる。
【００１７】
そして、上記のような無縫製編物１を編成するには、図４で示す前後２列針列Ｎ，Ｎ′と、２列のジャカード筬列Ｊ，Ｊ′を有し、かつ少なくとも２列の地筬Ｇ，Ｇ′を備えたダブルジャカード筬付ダブルラッシェル機を用いて編成されるもので、地筬Ｇ，Ｇ′の地糸ｇ，ｇ′にて鎖編の編成を行うとともに、ジャカード筬Ｊ，Ｊ′にて前編針Ｎによる前面編布と、後編針Ｎ′による後面編布を編成物の形態によって振り糸ｈ，ｈ′により綴じ編みにして表裏一体に編成している。そして表裏の編地には振り糸ｈ，ｈ′の鎖編に対する編成作用、即ち、表裏側生地を独立させた二重構造や、表裏一体化した三重構造にて上記したように薄地、厚地等の編成を行うことにより、各種編組織の変化とともに自由に所定の柄模様を形成できるものである。特に、表裏一体に綴じ編等にて三重構造として編成する各糸の編成態様は、図５（ａ）  （ｂ）  に示すものであり、地筬Ｇ，Ｇ′による前後の鎖編となる地糸ｇ，ｇ′をジャカード筬Ｊ，Ｊ′による振り糸ｈ，ｈ′にて連結し、綴じ編として編成している。
【００１８】
上記のように編成された無縫製編物１は、ウェア形体部１０と捨て部２０との境目がカットラインとなっており、１つのウェア形体部１０毎に一定単位長さに切離すると共に、当該カットラインを利用して捨て部２０を切離除去することにより、ウェア形体部１０としてのブラジャーを形成することができる。
上記無縫製編物１によれば、複数の機能部としてのカップ部１１、ベルト部１２、および肩ひも部１３を具備するウェアの各部を編成によりウェア形体部１０として一体形成しているので、複数の機能部を一体に製造することができる。そして、ウェア形体部１０と捨て部２０とが一体編成された無縫製編物１から、不要となる捨て部２０のみを除去するだけで複数の機能部を有するウェアを製造することができ、従来のように個別の機能部を形成してそれらを縫製によって合体させる工程が無くなり、複数の機能部を有するウェアを簡単に製造することができる。したがって、複雑な製造工程を経ないので、コスト上も低廉なウェアを提供することができる。
【００１９】
また、一体編成を行うため、ウェア形体部１０の縁部を、スカラヘム形状やアール形状、花柄形状、その他のデザイン性に優れた形体に編成することができ、種々の形状のウェア形体部１０を提供することができる。
さらに、表裏連結編立を行っているため形体安定性に優れ型くずれが発生することのないウェア形体部１０を提供することができる、等顕著な効果も有するものである。
【００２０】
なお、複数の機能部を有するウェア形体部の他の例としては、図６に示すように、ストッキング用ガーターベルト１５等を挙げることができる。このストッキング用ガーターベルト１５は、機能部としてウェストの巻回部１５ａとストッキングのための吊り部１５ｂとを有するもので、従来では、これらの部分は個別に形成され縫い合わされていたものであるが、この発明を適用することにより、複数の機能部を有するウェア形体部を無縫製編物により、実現することができるものである。吊り部１５ｂの配置を表裏で重ならない位置に配置することにより、二重構造、三重構造に編成して厚地部とすることもでき、さらに、巻回部１５ａは、横方向への振り幅を変えることにより厚みを調整することができるので、
形体安定性に優れるガーターベルトを提供することができる。
【００２１】
さらに、複数の機能部を有するウェア形体部の一例としては、図７に示すように、布製マスク１６等を挙げることができる。この布製マスク１６は、機能部としてマスク本体１６ａと、掛けひも部１６ｂとを有するものであり、これらの各機能部を有するウェア形体部を無縫製編物にて形成することができるものである。
この発明を適用できる無縫製編物としては、従来では、複数の機能部がそれぞれ個別に形成された後、各部が一体に縫製されて形成されるウェアに適用できるものであり、このように形成することにより、従来縫製工程を経て製造されるウェアであっても、簡単に製造することができるようになり、手軽に着用するウェアを安価に提供できるようになる。
【００２２】
また、無縫製編物を生産後にウェア形体部をカットして１枚毎のウェアに形成した後、単品毎に染色したり、モールド加工したりすることもでき、より形体安定性に優れた製品を提供することもできる。
【図面の簡単な説明】
【図１】本発明に係る無縫製編物の概略正面図である。
【図２】図１の裏面図である。
【図３】要部の概略組織図である。
【図４】ダブルラッシェル機の要部を示す概要図である。
【図５】（ａ）（ｂ）は表裏の一体編成による綴じ編みを例示する組織概要図である。
【図６】この発明の他の実施の態様を示すガーターベルトの斜視図である。
【図７】この発明のさらに他の実施の態様を示すマスクの斜視図である。
【符号の説明】
１      無縫製編物
１０    ウェア形体部
１１    カップ部
１２    ベルト部
１３    肩ひも部
１５    ガーターベルト
１６    マスク
２０    捨て部
【図１】
2004353146.tif 000003
【図２】
2004353146.tif 000004
【図３】
2004353146.tif 000005
【図４】
2004353146.tif 000006
【図５】
2004353146.tif 000007
【図６】
2004353146.tif 000008
【図７】
2004353146.tif 000009